【事件の表示】
　特願２００８−６０６５９号「加熱調理器」拒絶査定不服審判事件〔平成２１年９月２４日出願公開、特開２００９−２１３６８５号〕について、次のとおり審決する。
【結　論】
　本件審判の請求は、成り立たない。
【理　由】
第１　手続の経緯
　本願は、平成２０年３月１１日の出願であって、平成２４年１月２６日付けで拒絶査定がなされ、これに対し、同年４月１９日に拒絶査定不服審判が請求されると同時に手続補正がされたものである。
　
第２　平成２４年４月１９日の手続補正についての補正却下の決定
［補正却下の決定の結論］
　平成２４年４月１９日の手続補正（以下「本件補正」という。）を却下する。
［理由］
１．補正の内容
　本件補正は、平成２３年１２月２７日付け手続補正書により補正された明細書及び特許請求の範囲を補正するものであって、特許請求の範囲については、
「【請求項１】
外郭を構成する本体と、被加熱調理容器を載置する天板と、前記天板の下方に位置する加熱手段と、前記本体の内部に配されたグリル装置と、前記グリル加装置に収容され調理物を載置する焼網と、前記調理物から滴下する脂や水分を受ける受け皿と、前記焼網と前記受け皿の間に設置され前記調理物を下方より加熱する下方加熱手段と、前記焼網の上方に設置され前記調理物を上方より加熱する上方加熱手段と、前記グリル装置の庫内温度を検知する庫内温度検知手段と、前記上方加熱手段及び前記下方加熱手段の出力を制御する加熱制御手段と、前記加熱制御手段の制御方法を記憶する記憶手段と、前記グリル装置の開口を覆い開閉自在に配されたグリル扉とを備え、前記グリル扉は前面を構成する樹脂から成るグリル扉前板と、前記グリル扉前板を保持する金属製の前板保持部材と、前記グリル扉を開閉する際に持ち手となるグリル把手とから構成し、前板保持部材は前記グリル扉を構成する上で最低限必要なネジ止め用の穴もしくは前記受け皿との嵌着用の開口、または前記グリル扉にパッキンを配した場合の嵌合用の穴を有し、特に内部の調理状態を確認するための覗き窓などの開口および穴を極力少なくして熱の伝わりを低減し、前記グリル扉の略全域に渡って前記グリル扉前板と前記前板保持部材の間に所定の間隔の空気断熱層を設けるとともに、前記加熱制御手段は、調理時間をカウントするカウント手段を設け、前記調理物に応じて使用者が設定した時間になると加熱を停止するタイマー機能を設けたことを特徴とする加熱調理器。
【請求項２】
外郭を構成する本体と、被加熱調理容器を載置する天板と、前記天板の下方に位置する加熱手段と、前記本体の内部に配されたグリル装置と、前記グリル加装置に収容され調理物を載置する焼網と、前記調理物から滴下する脂や水分を受ける受け皿と、前記焼網と前記受け皿の間に設置され前記調理物を下方より加熱する下方加熱手段と、前記焼網の上方に設置され前記調理物を上方より加熱する上方加熱手段と、前記グリル装置の庫内温度を検知する庫内温度検知手段と、前記上方加熱手段及び前記下方加熱手段の出力を制御する加熱制御手段と、前記加熱制御手段の制御方法を記憶する記憶手段と、前記グリル装置の開口を覆い開閉自在に配されたグリル扉とを備え、前記グリル扉は前面を構成する樹脂から成るグリル扉前板と、前記グリル扉前板を保持する金属製の前板保持部材と、前記グリル扉を開閉する際に持ち手となるグリル把手とから構成し、前板保持部材は前記グリル扉を構成する上で最低限必要なネジ止め用の穴もしくは前記受け皿との嵌着用の開口、または前記グリル扉にパッキンを配した場合の嵌合用の穴を有し、特に内部の調理状態を確認するための覗き窓などの開口および穴を極力少なくして熱の伝わりを低減し、前記グリル扉の略全域に渡って前記グリル扉前板と前記前板保持部材の間に所定の間隔の空気断熱層を設けるとともに、前記記憶手段は、各種の調理メニューに適した調理シーケンスを記憶し、使用者が設定した前記調理メニューに応じて前記加熱制御手段を介して前記上方加熱手段及び前記下方加熱手段の出力を制御する自動調理機能を設けたことを特徴とする加熱調理器。
【請求項３】
前記グリル扉は、前記グリル扉前板の表面に所定の凹凸を設けた請求項１または２に記載の加熱調理器。」とある記載を、
「【請求項１】
外郭を構成する本体と、被加熱調理容器を載置する天板と、前記天板の下方に位置する熱手段と、前記本体の内部に配されたグリル装置と、前記グリル加装置に収容され調理物を載置する焼網と、前記調理物から滴下する脂や水分を受ける受け皿と、前記焼網と前記受け皿の間に設置され前記調理物を下方より加熱する下方加熱手段と、前記焼網の上方に設置され前記調理物を上方より加熱する上方加熱手段と、前記グリル装置の庫内温度を検知する庫内温度検知手段と、前記上方加熱手段及び前記下方加熱手段の出力を制御する加熱制御手段と、前記加熱制御手段の制御方法を記憶する記憶手段と、前記グリル装置の開口を覆い開閉自在に配されたグリル扉とを備え、前記グリル扉は前面を構成する
内部の調理状態を確認できない
前記
窓の
をなくし、
た加
【請求項２】
外郭を構成する本体と、被加熱調理容器を載置する天板と、前記天板の下方に位置する加熱手段と、前記本体の内部に配されたグリル装置と、前記グリル加装置に収容され調理物を載置する焼網と、前記調理物から滴下する脂や水分を受ける受け皿と、前記焼網と前記受け皿の間に設置され前記調理物を下方より加熱する下方加熱手段と、前記焼網の上方に設置され前記調理物を上方より加熱する上方加熱手段と、前記グリル装置の庫内温度を検知する庫内温度検知手段と、前記上方加熱手段及び前記下方加熱手段の出力を制御する加熱制御手段と、前記加熱制御手段の制御方法を記憶する記憶手段と、前記グリル装置の開口を覆い開閉自在に配されたグリル扉とを備え、前記グリル扉は前面を構成する
内部の調理状態を確認できない
前記
窓の
をなくし、
【請求項３】
前記グリル扉前板の外面側の温度が８０℃以下になるように構成した
　そして、上記補正は、以下の補正事項１及び２を含むものである。
（１）補正事項１
　特許請求の範囲の請求項３を
「
前記グリル扉前板の外面側の温度が８０℃以下になるように構成した
（２）補正事項２
　特許請求の範囲の請求項１及び２に「前面を構成する樹脂から成るグリル扉前板」とある記載を、補正後の請求項１及び２において「前面を構成する
内部の調理状態を確認できない
　
２．判断
（１）補正事項１について
　補正後の請求項１は「タイマー機能を設け」られる加熱調理器であることから、また補正後の請求項２は「自動調理機能を設け」られる加熱調理器であることから、それぞれ補正前の請求項１及び２に対応している。
　補正後の請求項３は、補正後の請求項１または２を引用するものの、補正前の請求項３の「グリル扉前板の表面に所定の凹凸を設け」る事項を特定していない。
　したがって、補正後の請求項３には、対応する補正前の請求項がない。
　そうすると、補正事項１については、新たな請求項３を追加することとなるので、請求項の削除、特許請求の範囲の減縮、誤記の訂正又は明りょうでない記載の釈明のいずれを目的とするものとはいえず、特許法第１７条の２第５項各号のいずれにも該当しない。
　
（２）補正事項２について
　「
内部の調理状態を確認できない
　上記記載については、段落【００２５】に「グリル扉１９は、前面を構成する耐熱性のガラスから成るグリル扉前板２０と、・・・（中略）・・・等で構成されている。」と、また、段落【００２７】に「図３において、前板保持部材２１は、グリル扉１９を構成する上で最低限必要なネジ止め用の穴２４、もしくは受け皿１３との嵌着用の開口２５、またはグリル扉１９にパッキン２６等を配した場合の嵌合用の穴２７を除いて、特に内部の調理状態を確認するための覗き窓などの開口２８（図３（ｂ））および穴を極力少なくし、グリル扉１９の略全域に渡ってグリル扉前板２０と前板保持部材２１の間に所定の間隔２９の空気断熱層３０を設けたものである。」と記載され、図３（ａ）と図４（ａ）に覗き窓の開口２８がない金属製の前板保持部材２１がグリル扉前板２０の後方に設けられる様子が図示されている。
　したがって、「
内部の調理状態を確認でき
　一方、グリル扉前板２０を樹脂で構成することについては、上記段落【００３５】に続く段落【００３６】に「また、ここでグリル扉前板２０を樹脂で構成すると、・・・（中略）・・・触れたときでも熱は伝わりにくく、安全性はより一層高まるものである。」と、段落【００３７】に「なお、グリル扉前板２０に伝わる温度を構成的に低減していることから、このグリル扉前板２０に用いる樹脂に要求される耐熱温度は比較的低くてもよく、高耐熱性で高価な樹脂・・・（中略）・・・を使用する必要がない分、使用者に安価な製品を提供することができる。」と、段落【００３８】に「また、グリル扉前板２０に樹脂を使うことでガラス製などよりは、グリル扉１９全体として軽量化が図れ、調理物の出し入れやお手入れ時等の使い勝手がよくなるものである。」と、また、段落【００３９】に「また、グリル扉前板２０に使用する樹脂を難燃性の樹脂で構成することによれば、さらに安全性がより一層高まるものである。」と記載されているものの、グリル扉前板２０の樹脂が「
内部の調理状態を確認できない
　そして、「樹脂から成るグリル扉前板」である場合においても「
内部の調理状態を確認でき
　したがって、グリル扉前板が、「
内部の調理状態を確認できない
　さらに、当初明細書等のすべての記載を総合することにより導かれる技術的事項との関係において新たな技術的事項を導入するものである。
　よって、上記補正事項は出願当初の明細書等に記載した事項の範囲内においてしたものとは認められない。
　
４．むすび
　以上のとおり、本件補正は、特許法第１７条の２第５項の規定に違反し、また、特許法第１７条の２第３項の規定に違反するので、同法第１５９条第１項において読み替えて準用する同法第５３条第１項の規定により却下すべきものである。
　
第３　本願発明について
　本件補正は上記のとおり却下されたので、本願の請求項１に係る発明（以下「本願発明」という。）は、平成２３年１２月２７日付け手続補正書により補正された特許請求の範囲の請求項１に記載された事項により特定される、次のとおりのものである。
「外郭を構成する本体と、被加熱調理容器を載置する天板と、前記天板の下方に位置する加熱手段と、前記本体の内部に配されたグリル装置と、前記グリ
ル装
　なお、「前記グリル加装置」なる記載は、「前記グリル装置」の誤記であると認められるので、上記のように認定した。
　
１．引用刊行物
（１）引用刊行物１
　原査定の拒絶の理由に引用され、本願の出願前に頒布された特開２００８−２１５１９号公報（以下「引用刊行物１」という。）には、図１〜１０とともに以下の事項が記載されている。
ア．「本実施例は、キッチンに嵌め込むビルトイン型でなく、キッチンに載置する据置型の加熱調理器であっても差し支えない。
　誘導加熱調理器の本体２は、システムキッチン１の上面から落とし込んで設置することで組み込まれる。設置後は誘導加熱調理器２の後述するロースター（グリル）４と操作パネル５がシステムキッチン１の前面部から操作できるようになっている。
　・・・（中略）・・・
　調理を行う際の調理鍋（図示せず）は、本体２の上面に配置された耐熱ガラス等からなるプレート３上に載置される。
　図示しない調理鍋は、プレート３に描かれた載置部６に載置されることで調理可能となる。・・・（中略）・・・そして、プレート３を挟んで各載置部６の下に調理鍋を加熱するための後述する加熱コイルユニット２５がそれぞれ設置されている。」（段落【００２３】〜【００２７】）
イ．「ロースター４は魚やピザ等を焼くためので、・・・（中略）・・・本実施例では本体２前面に向かって左に配置されている。また、魚焼き専用ではないので、このロースター４をグリル若しくはオーブンと呼ぶこともある。
　図６を用いてロースター４について詳説する。調理庫２６は、前面が開口した箱型をしており、内部にシーズヒータ等の発熱体よりなる上発熱体２７，下発熱体２８が設置されている。・・・（中略）・・・
　調理庫２６の前面開口部を塞ぐロースタードア３２には、その表側にハンドル１１が取り付けられ、裏側に受皿３１が取り付けられている。受皿３１は、調理庫２６内に前面開口部から出し入れ自在に収納されている。一方、受皿３１の中には焼網３３が載置され、その上に魚等の調理物３０を載せる。
　・・・（中略）・・・
　排気ファン３６を動作させると、受皿３１とロースタードア３２との間に設けられた空気取入口４２を介して調理庫２６内に空気が流入する。流入した空気は調理庫２６内部で発生した煙や臭いと共に空気浄化用触媒３４，排気通路３５を介して排気口８から外部に排出される。この空気浄化用触媒３４の触媒作用により、調理庫２６内で発生した臭いや煙が触媒の能力に応じて低減されつつ、強制的に排気口８から排気される。
　・・・（中略）・・・
　調理庫２６内の温度は、調理庫２６の前面開口部側の上部と、受皿３１の側面下部に設けられたサーミスタ等の温度検知手段３８によって検知される。」（段落【００３２】〜【００３８】）
ウ．「図１，図２に示すように、ロースター４の向かって右隣には、ロースター４の加熱具合を操作する後述するロースター操作部１２（１２ａ）とロースター表示部６５（６５ａ）を配置した操作パネル５が配置されている。・・・（中略）・・・グリル選択メニューキー６６によって魚焼きとグルメ（各種自動調理）を選択する。・・・（中略）・・・メニューを選択した後、調理の仕上がり（焼き加減）を、設定キー６８によって設定することができる。アップキー６８ａ若しくはダウンキー６８ｂを押下するたびに、ロースター表示部６５の弱・中・強のＬＥＤランプが点灯することで選択可能となる。そして、タイマーキー６９を押下して調理時間を選択することができる。このときも設定キー６８によってタイマー時間（加熱終了時間）を選択することができる。各種の設定が済むと、選択したメニューの調理を開始，停止，取消するための切／スタートキー６７を押下することによって、調理が開始される。なお、タイマーが設定されている場合であっても、この切／スタートキーを押下することによって、調理を停止することができる。」（段落【００６４】〜【００６６】）
エ．「次に制御について図９を用いて簡単に説明する。操作・表示部７５は、これまで説明した上面操作部９，ロースター操作部１２，上面表示部１０、及びロースター表示部６５から構成されている。操作・表示部７５の操作部で入力されたメニュー，火力情報，調理のスタート・切情報等を後述する制御手段７４に入力信号８０として送り、制御手段７４で認識した情報，調理の進行状況などの処理状況を表示信号７９として操作・表示部７５に送り、上面表示部１０とロースター表示部６５で表示される。
　制御手段７４は、前記操作・表示部７５で設定された内容及び事前に組み込まれた自動調理などのプログラムに基づき加熱部を制御する。設定された内容に基づいて調理の開始、停止、火力の設定情報を制御信号７８（制御信号８５）を経て後述するインバータ制御手段７３若しくはヒータ制御手段８２に送る。そして、加熱部に設けられた温度を検出する温度検知素子２１（温度検知手段３８）から温度情報を乗せた制御信号７８（制御信号８５）を受信することで温度情報を受ける。・・・（中略）・・・ヒータ制御手段８２は、制御手段７４からの信号を元に、ロースター４の調理庫２６内の温度を監視しながらヒータ８１のＯＮ／ＯＦＦを制御する。調理庫２６の温度を温度検知手段３８により検出し、検出信号８３によってヒータ制御手段８２に入力され、制御手段７９からの制御信号８５による指示により上発熱体２７と下発熱体２８への通電のＯＮ／ＯＦＦを制御している。
　なお、ヒータ８１は、ロースター４の上発熱体２７，下発熱体２８，調理庫２６内の温度情報を検出するための温度検知手段３８とを含めた総称としている。」（段落【００７１】〜【００７５】）
オ．「次にロースターについて説明する。使用者がロースター４の焼網３３上に魚等の調理物３０を載せて、ロースター操作部１２の魚焼きキー６６ａを操作して自動調理の丸焼きを選択する。そして、切／スタートキー６７を押すと、切／スタートキー６７のＬＥＤランプが点灯し、上下発熱体２７，２８および触媒ヒータ３７が通電を開始する。」（段落【０１０３】）
カ．図１及び６には、ロースター（グリル）４が、本体２の前面に表出するように、本体２に配置される様子が図示される。
　また、図６には、空気取入口４２が、ロースタードア３２の後ろ側の本体部分で、受皿３１との間に設けられる様子、下発熱体２８が、魚等の調理物３０を載せた焼網３３の下側で、焼網３３と焼網３３が載置された受皿３１の間に設けられる様子、及び、焼網３３に載せられた調理物３０の上方に上発熱体２７が設けられる様子が図示される。
　
　これらの記載事項ア．〜オ．及びカ．の図示内容を総合すると、上記引用刊行物１には、
「本体２と、
調理鍋が載置される載置部６が描かれた、本体２上面のプレート３と、
プレート３を挟んで、プレート３に描かれた載置部６の下に設置されている加熱コイルユニット２５と、
本体２の前面に表出するように本体２に配置されたロースター（グリル）４と、
ロースター（グリル）４の調理庫２６の前面開口部を塞ぐロースタードア３２の裏側に取り付けられ、出し入れ自在に収納されている、その中に焼網３３が載置される受皿３１と、
調理物３０を載せる焼網３３と、
調理物３０を載せた焼網３３の下側で、焼網３３と焼網３３が載置された受皿３１の間に設けられる下発熱体２８と、
焼網３３に載せられた調理物３０の上方に設けられる上発熱体２７と、
調理庫２６内の温度情報を検出するための温度検知手段３８と、
上発熱体２７と下発熱体２８への通電のＯＮ／ＯＦＦを、制御手段７４からの指示により制御しているヒータ制御手段８２、及びロースター操作部１２を含む操作・表示部７５で設定された内容及び事前に組み込まれた自動調理などのプログラムに基づき、制御信号８５をヒータ制御手段８２に送って、加熱部を制御する制御手段７４と、
ロースター（グリル）４の調理庫２６の前面開口部を塞ぐ、その表側にハンドル１１が取り付けられるロースタードア３２とを備え、
ロースタードア３２の後ろ側の本体部分で、受皿３１との間に空気取入口４２が設けられており、
ヒータ制御手段８２及び制御手段７４は、ロースター操作部１２のタイマーキー６９を押下して調理時間を選択し、設定キー６８によってタイマー時間（加熱終了時間）を選択することができ、切／スタートキー６７を押下することによって、調理が開始される、
据置型でも差し支えない、ビルトイン型の誘導加熱調理器。」
の発明（以下「引用発明１」という。）が記載されていると認められる。
　
（２）引用刊行物２
　同じく引用され、本願の出願前に頒布された特開２００６−２００８３１号公報（以下「引用刊行物２」という。）には、図１〜５とともに以下の事項が記載されている。
ア．「加熱庫の開口部を開閉する扉の温度上昇の低減を図り安全性を向上した加熱機器を提供することを目的とする。
・・・（中略）・・・本発明の加熱機器は、加熱庫の開口部を開閉する扉は、開口部に面する内壁と、外部に面する外壁と、内、外壁の間に形成された空気層と、空気層に空気を流通させるための導入孔および排出孔を有するものである。
　これにより、扉の外壁は加熱庫内の熱に直接さらされることがなく、しかも空気層内に常に新しい空気が流通するため空気層内の温度上昇が抑制され、扉外壁の温度上昇の低減が図れ安全性が向上するものである。」（段落【０００４】〜【０００６】
イ．「図１、図２は、本発明の実施の形態１における加熱機器として、一般家庭において使用される加熱調理器を示しているものである。
　図に示すように、外郭を形成する本体２１は、その上部に、内部に誘導加熱コイルを有し上面をセラミックプレート２２で形成したトップヒーター部２３が設けられており、・・・（中略）・・・前記本体２１内部の左半分は魚や肉などを焼いて調理するためのロースター部２７で構成されて・・・（中略）・・・いる。
　また、本体２１内部のロースター部２７には、開口部３６を本体前面３５に形成した加熱庫３１が設置されている。この加熱庫３１は、魚や肉などの食材を入れて加熱調理するものであり、この内部には魚や肉などから出る脂などの肉汁を受けるための摺動自在に載置された受皿３２や、食材を載置するための焼網３３、シーズヒーターなどから成り調理物を加熱するための加熱ヒーター３４が備えられている。
　また、加熱庫３１の開口部３６は、取っ手３８を有する扉３７により覆われていて、取っ手３８を矢印Ｂ方向に動作させることにより開閉される構成となっている。前記扉３７は、取っ手３８を一体に設けた把手３９とこの把手３９の上方に配置されたガラスなどからなる透明部材４０を有しており、前記把手３９と前記透明部材４０とで外壁４１を形成している。また、前記扉３７の開口部３６に面する部分にはもう１つの透明部材４２とこの透明部材４２を保持する板金などで形成された扉部材４３が設けられており、前記透明部材４２と前記扉部材４３とで内壁４４を形成している。前記外壁４１と前記内壁４４は上方で扉部材４５によって保持されており、外壁４１と内壁４４の間には空気層４６が形成されている。この空気層４６は把手３９の取っ手３８の下方に設けられた導入孔４７と扉部材４５に設けられた排出孔４８に連通しており、内部を空気が自然対流により流通するようになっている。また前記扉部材４３には前記受皿３２が支持金具４９を介して接続されている。」（段落【００１５】〜【００１８】）
ウ．「本実施の形態においては、扉３７を形成する外壁４１と内壁４４の間に空気層４６を設けており、更にこの空気層４６を把手３９の取っ手３８の下方に設けた導入孔４７と扉部材４５に設けられた排出孔４８に連通させている。従って、前記空気層４６は、導入孔４７、排出孔４８を通して外気に連通した形になるため、扉３７の温度が上昇すると内部を空気が自然対流により流通するようになる。よって扉３７の外壁４１は加熱庫３７内の熱に直接さらされることがなく、しかも空気層４６内に常に新しい空気が流通するため空気層４６内の温度上昇が抑制されて加熱調理中においても扉３７の温度が高くならず安全性を向上させることができる。（段落【００２２】）
エ．「本実施の形態においては、扉３７の外壁４１と内壁４４の一部を透明部材４０、４２で形成しており、透明部材４０、４２間には外気が流通する空気層４６が介在した構成となっている。このため、加熱庫３１の内部を外から確認できる構成にもかかわらず、空気層４６により庫内からの熱伝達が抑制されるため、透明部材表面の温度が低減され、安全性を向上させることができる。なお、扉３７の外壁４１と内壁４４の全部を透明部材４０、４２で形成してもよい。」（段落【００２３】）
オ．図２には焼網３３とその下方の受皿３２の間、及び、焼網３３の上方に、加熱ヒーター３４は配置される様子、扉部材４３の下端が把手３９の下部に接する様子、及び把手３９の取っ手３８の下方に設けられた導入孔４７は扉３７の下方の外側に、上方の扉部材４５に設けられた排出孔４８は扉３７の前方の外側に開いていることが図示される。
　これらの記載事項ア．〜エ．及びオ．の図示内容を総合すると、上記引用刊行物２には、
「外郭を形成する本体２１と、
本体２１の上部に設けられるトップヒーター部２３の上面に形成されるセラミックプレート２２と、
トップヒーター部２３の内部に設けられる誘導加熱コイルと、
本体２１内部のロースター部２７と、
ロースター部２７の加熱庫３１の内部に備えられる食材を載置するための焼網３３と、
魚や肉などから出る脂などの肉汁を受けるための摺動自在に載置された受皿３２と、
焼網３３とその下方の受皿３２の間に設置される調理物を加熱するための加熱ヒーター３４と、
焼網３３の上方に設置される調理物を加熱するための加熱ヒーター３４と、
本体前面３５に形成した加熱調理するロースター部２７の加熱庫３１の開口部３６を開閉するように覆う扉３７とを備え、
扉３７は取っ手３８を一体に設けた把手３９とこの把手３９の上方に配置されたガラスなどからなる透明部材４０とで形成される外壁４１と、
開口部３６に面する部分に、もう１つの透明部材４２とこの透明部材４２を保持する板金などで形成された扉部材４３とで形成され、下端が把手３９の下部に接し、上方で扉部材４５によって外壁４１と保持される内壁４４とから構成し、
扉部材４３には前記受皿３２が支持金具４９を介して接続されており、
外壁４１と内壁４４の間には空気層４６が形成されており、
さらに、この空気層４６は把手３９の取っ手３８の下方に設けられた、下方の外側に開いている導入孔４７と扉部材４５に設けられた、前方の外側に開いている連通する排出孔４８に連通していて、内部を空気が自然対流により流通するようになっていることで、
扉の外壁は加熱庫内の熱に直接さらされることがなく、しかも空気層内に常に新しい空気が流通するため空気層内の温度上昇が抑制され、扉外壁の温度上昇の低減が図れ安全性が向上する
加熱調理器。」
の発明（以下「引用発明２」という。）が記載されていると認められる。
　
（３）引用刊行物３
　同じく引用され、本願の出願前に頒布された特開２００５−３０００５３号公報（以下「引用刊行物３」という。）には、図１〜７とともに以下の事項が記載されている。
ア．「扉の外表面の温度を抑制して取り扱いを容易にした加熱調理器を提供することを目的としている。」（段落【０００４】）
イ．「図１〜図３は本発明の実施の形態１における加熱調理器である誘導加熱調理器を示すものである。
　図に示すように、略直方体の本体１の天面には耐熱ガラスで形成された天板２が備えてある。天板２の下には加熱コイル（図示せず）が左右に１組ずつ配置してある。本体１下部右側には操作部３と制御回路（図示せず）を内蔵している。本体１の左下部には魚等を焼くロースター４が備えられている。
　ロースター４は外郭５内に魚等の被加熱物１５を収容する加熱庫６を備え、加熱庫６内には庫内上方に上ヒーター７と下方に下ヒーター８を備えている。この上ヒーター７と下ヒーター８とで被加熱物１５を加熱する加熱装置９を形成している。上ヒーター７と下ヒーター８との間で下ヒーター８直上には着脱自在に焼き網１０が備えられている。水受皿１１は焼き網１０を載置するとともに調理時に水を満たして下ヒーター８により加熱庫６下部が加熱されることを防止する構成となっている。
　・・・（中略）・・・
　加熱庫６前面には開口部１４が設けてあり、被加熱物１５を出し入れする。この開口部１４は扉１６によって開閉されている。扉１６には前記水受け皿１１が爪１７により係止されていて、扉１６の着脱時には水受け皿１１が連動して加熱庫６内を摺動する。扉１６は略平面的な構成であり、外方側の外壁１８と加熱庫６側の内壁１９で構成されている。扉１６には把手２０が設けてあり、外壁１８と内壁１９とを一体的に固定して扉１６の着脱時にここを持って使用する。
　外壁１８と内壁１９との間には冷却空間２１が形成されている。冷却空間２１は約３ｍｍの幅を維持して扉１６の下方から上方に位置し、開口部１４の略６０％の面積を有する。冷却空間２１の下部に位置して把手２０の一部を切り欠いて冷却空間２１と外方とを連通する流入口２２が設けてある。内壁１９の上方には冷却空間２１と加熱庫６内とを連通する横長形状の流出口２３が設けてある。・・・（中略）・・・また、冷却空間２１内の内壁１９側にはガラスウール等で形成された断熱材２４を備えている。断熱材２４は内壁１９からの輻射熱を外壁１８に伝えることを防止することができる。」（段落【００２０】〜【００２５】）
ウ．「加熱庫６内の焼き網１０上に被加熱物１５である魚を載置する。水受け皿１１内に水を満たして上ヒーター７と下ヒーター８に通電して加熱調理を行う。加熱調理は温度センサー（図示せず）により温度を検知しながら制御回路（図示せず）で上ヒーター７と下ヒーター８との通電制御を行い自動で完了させる。
　・・・（中略）・・・扉１６の流入口２２を通って冷却空間２１を通過した空気が流出口２３から加熱庫６内に流入する。このとき約２５０℃に加熱された内壁１９の熱を空気流が冷却する。外壁１８も内壁１９からの輻射熱で加熱されているので外壁１８も冷却されることとなる。」（段落【００２７】及び【００２８】）
エ．「扉１６を構成する内・外壁間の冷却空間２１に断熱材２４を備えたことにより、扉１６の外表面の温度をより一層抑制することができるものである。なお、扉１６を構成する内・外壁のうち少なくとも内壁１９を断熱材で形成することもできるものであり、この場合、断熱材２４も併用すれば、扉１６の外表面の温度をより一層確実に抑制することができる。一方、内壁１９を断熱材で形成すれば、断熱材２４を省略する構成にすることもでき、この場合、扉構成を簡単なものとすることができる。」（段落【００３３】）
オ．「図５は、本発明の実施の形態３における加熱調理器の扉構成を示すものである。・・・（中略）・・・
　本実施の形態において、実施の形態１と異なる点は、扉１６を構成する内壁４１と外壁４０を透明な部材で構成したことである。これにより、加熱庫６内を外部から確認しながら加熱調理を行うことができる。
　なお、透明な部材として耐熱ガラスを用いて、内壁４１と外壁４０を構成すると、透視効果と断熱効果の両方が期待できるものである。」（段落【００３８】〜【００４０】）
　
（４）引用刊行物４
　同じく引用され、本願の出願前に頒布された特開２００３−２４５２０７号公報（以下「引用刊行物４」という。）には、図１〜７とともに以下の事項が記載されている。
ア．「グリル扉６０は、図１に示すように、外側の第一金属板６３ａ（例えば、ステンレス板）と、グリル庫と接する内側の第二金属板６３ｂ（例えば、ステンレス板）とを備えた二重構造であり、その間に冷却用空気の通り道となる扉隙間６４が形成される。」（段落【００１９】）
イ．「バーナ２０，２１の燃焼熱によって加熱される金属板６３ａ，６３ｂを器体外部の加熱されていない空気によって冷却していることになる。このため、グリル２使用中における、金属板６３ａ，６３ｂ、すなわちグリル扉６０の温度を下げることができ、火傷を防止できる。しかも、グリル扉６０を二重構造とする、すなわち第二金属板６３ｂを第一金属板６３ａで覆う構造とすることにより、燃焼排気と直接接触し最も高温となる第二金属板６３ｂには、構造上、手を触れることができなくなるので、火傷を防止して、より一層安全に使用できる。また、第一金属板６３ａと第二金属板６３ｂとの間の扉隙間６４は、断熱層の役目も果たすので、直接手を触れる可能性がある第一金属板６３ａへの上、下バーナ２０，２１の燃焼熱の伝達を抑えて、第一金属板６３ａが過熱されるのを防ぐ。・・・（中略）・・・加えて、金属は、従来の透過性のガラスに比べて、熱の反射率が高いので、バーナ２０、２１の燃焼熱の器具外部への放熱ロスを減少させることができる。従って、熱効率が上がり、焼き性能（むら、焦げ等）が向上する。金属板６３ａ，６３ｂの材料を熱の反射率の高い金属を用いれば、更に熱効率や焼き性能を向上させることができる。」（段落【００３０】及び【００３１】）
　
３．対比・判断
　本願発明と引用発明１とを対比すると、
後者の「調理鍋が載置される載置部６が描かれた、本体２上面のプレート３」は前者の「被加熱調理容器を載置する天板」に相当し、以下同様に、
後者の「プレート３を挟んで、プレート３に描かれた載置部６の下に設置されている加熱コイルユニット２５」は前者の「天板の下方に位置する加熱手段」に、
後者の「ロースター（グリル）４」は前者の「グリル装置」に、
後者の「調理物３０を載せる焼網３３」は前者の「調理物を載置する焼網」に、
後者の「受皿３１」は前者の「受け皿」に、
後者の「調理庫２６内の温度情報を検出するための温度検知手段３８」は前者の「グリル装置の庫内温度を検知する庫内温度検知手段」に、
後者の「ロースター（グリル）４の調理庫２６の前面開口部を塞ぐ、その表側にハンドル１１が取り付けられるロースタードア３２」は前者の「グリル装置の開口を覆」う「グリル扉」に、後者の「ハンドル１１」は前者の「持ち手となるグリル把手」に、
後者の「誘導加熱調理器」は前者の「加熱調理器」にそれぞれ相当する。
　また、後者の「本体２」は前者のような「外郭を構成する」ものであるか明確でないが、後者の「本体２の前面に表出するように本体２に配置されたロースター（グリル）４」は本体２の一部を構成するように配置されている点で、前者のグリル装置と同様に、「本体の内部に配され」ているといえる。
　後者の焼網３３は、受皿３１の中に載置されており、かつ、受皿３１は「ロースター（グリル）４の調理庫２６の前面開口部を塞ぐロースタードア３２の裏側に取り付けられ、出し入れ自在に収納されている」のであるから、受皿３１とともにロースター（グリル）４に出し入れ自在に収納されているものといえる。そうすると、後者の「調理物３０を載せた焼網３３」は、前者の「グリル装置に収容され調理物を載置する焼網」に相当する。
　後者の「調理物３０を載せた焼網３３の下側で、焼網３３と焼網３３が載置された受皿３１の間に設けられる下発熱体２８」は、その位置からみて、調理物３０を下側から加熱することは明らかであるから、前者の「前記焼網と前記受け皿の間に設置され前記調理物を下方より加熱する下方加熱手段」に相当し、
後者の「焼網３３に載せられた調理物３０の上方に設けられる上発熱体２７」は、その位置からみて、調理物３０を上側から加熱することは明らかであるから、前者の「焼網の上方に設置され前記調理物を上方より加熱する上方加熱手段」に相当する。
　後者の「ロースター（グリル）４の調理庫２６の前面開口部を塞ぐロースタードア３２」は、そ「の裏側に取り付けられ」た受皿３１が「出し入れ自在に収納されている」ことから、調理庫２６の前面開口部を開閉自在に配されているといえ、その表側に取り付けられるハンドル１１は、当業者であれば、前者と同様に、そのロースタードア３２の開閉の際に持ち手となるものと当然に想起するといえる。
　後者の「上発熱体２７と下発熱体２８への通電のＯＮ／ＯＦＦを、制御手段７４からの指示により制御しているヒータ制御手段８２、及びロースター操作部１２を含む操作・表示部７５で設定された内容及び事前に組み込まれた自動調理などのプログラムに基づき、制御信号８５をヒータ制御手段８２に送って、加熱部を制御する制御手段７４」は前者の「上方加熱手段及び前記下方加熱手段の出力を制御する加熱制御手段」に相当し、
後者の「ヒータ制御手段８２及び制御手段７４」の「ロースター操作部１２のタイマーキー６９を押下して調理時間を選択し、設定キー６８によってタイマー時間（加熱終了時間）を選択することができ、切／スタートキー６７を押下することによって、調理が開始される」との制御は、前者の「加熱制御手段」の「調理物に応じて使用者が設定した時間になると加熱を停止するタイマー機能を設けた」ことによる制御に相当する。
　そうすると、両者は、
「本体と、被加熱調理容器を載置する天板と、前記天板の下方に位置する加熱手段と、前記本体の内部に配されたグリル装置と、前記グリル装置に収容され調理物を載置する焼網と、受け皿と、前記焼網と前記受け皿の間に設置され前記調理物を下方より加熱する下方加熱手段と、前記焼網の上方に設置され前記調理物を上方より加熱する上方加熱手段と、前記グリル装置の庫内温度を検知する庫内温度検知手段と、前記上方加熱手段及び前記下方加熱手段の出力を制御する加熱制御手段と、前記グリル装置の開口を覆い開閉自在に配されたグリル扉とを備え、前記グリル扉は前記グリル扉を開閉する際に持ち手となるグリル把手とから構成し、前記加熱制御手段は、前記調理物に応じて使用者が設定した時間になると加熱を停止するタイマー機能を設けた加熱調理器。」
である点で一致し、以下の点で相違すると認められる。
相違点Ａ：本体に関して、本願発明が「外郭を構成する」のに対して引用発明１は外郭を構成するか否か不明である点。
相違点Ｂ：受け皿に関して、本願発明が「調理物から滴下する脂や水分を受ける」のに対して引用発明１はそのようなものか否か不明瞭である点。
相違点Ｃ：本願発明が「加熱制御手段の制御方法を記憶する記憶手段」を有するのに対して、引用発明１は「ロースター操作部１２を含む操作・表示部７５で設定された内容及び事前に組み込まれた自動調理などのプログラムに基づき、制御信号８５をヒータ制御手段８２に送って、加熱部を制御する制御手段７４」を有するものの、上記のような記億手段を有するか否か不明である点。
相違点Ｄ：加熱制御手段のタイマー機能に関して、本願発明が「調理時間をカウントするカウント手段を設け」ているのに対して引用発明１は、そのようなカウント手段を設けているか否か不明である点。
相違点Ｅ：グリル扉に関して、本願発明が「グリル扉は前面を構成する樹脂から成るグリル扉前板と、前記グリル扉前板を保持する金属製の前板保持部材と、」グリル把手とから構成し、「前板保持部材は前記グリル扉を構成する上で最低限必要なネジ止め用の穴もしくは前記受け皿との嵌着用の開口、または前記グリル扉にパッキンを配した場合の嵌合用の穴を有し、特に内部の調理状態を確認するための覗き窓などの開口および穴を極力少なくして熱の伝わりを低減し、前記グリル扉の略全域に渡って前記グリル扉前板と前記前板保持部材の間に所定の間隔の空気断熱層を設ける」のに対して、引用発明１はハンドル１１が取り付けられるものの、上記のようなものではない点。
　
　そこで、上記相違点について検討する。
（１）相違点Ａについて
　種々の装置・機器において、外郭を構成することは、ごく一般的に行われることであって、引用発明２もそうであるように、加熱調理器においても通常のことといえる。
　したがって、内部機器の保護や使用上の安全、或いは搬送や設置を容易にする等のために、引用発明１において、本体が外郭を構成するようなすことは、当業者が格別の困難性を要することなくなし得たことである。
　さらにいえば、引用発明１は「据置型でも差し支えない、ビルトイン型の誘導加熱調理器」であって、ビルトイン型の場合は設置後は使用者が触れないものであるが、据置型とするにあたり、引用発明２に倣って、外郭を有するようなすことも、当業者が必要に応じて適宜なし得た設計的事項である。
　そうすると、単に、本体について外郭を構成するようなすことは、当業者が容易になし得たことといわざるを得ない。
　そしてそのことによる格別の効果もない。
　
（２）相違点Ｂについて
　引用発明１は、「調理物３０を載せる焼網３３と」「その中に焼網３３が載置される受皿３１」であり、受皿３１の上方に調理物３０を載せる焼網３３がある。
　一方、引用発明２も「魚や肉などから出る脂などの肉汁を受けるための摺動自在に載置された受皿３２」であるように、魚や肉などから出る脂などの肉汁を受けることは受皿の機能として従来より周知のことといえる。そうすると、引用発明１の受皿３１を、「調理物から滴下する脂や水分を受ける」受皿とすることは、受皿が持つ周知の機能を、単に表現したに過ぎず、相違点Ｂについて、本願発明と引用発明１とは実質的に相違しない。
　
（３）相違点Ｃについて
　プログラムに基づいて制御するために、プログラムを記憶手段に記憶し、マイコンやその他の制御手段により制御することは、当業者にとって慣用手段といえる。
　したがって、引用発明１の制御手段７４について、「事前に組み込まれた自動調理などのプログラムに基づき、制御信号８５をヒータ制御手段８２に送って、加熱部を制御する」ために、上記慣用手段であるプログラムを記憶する記億手段を用いることは、当業者が格別の困難性を要することなくなし得たことといえる。
　そしてそのことによる格別の効果もない。
　
（４）相違点Ｄについて
　引用発明１は、「タイマーキー６９を押下して調理時間を選択し、設定キー６８によってタイマー時間（加熱終了時間）を選択することができ」るものであって、調理時間や加熱終了時間に達すると停止するものといえる。
　一方、一定時間に達することを検知・制御するためにカウンタを用いることは従来より周知であって、例えばマイコン等を用いた制御方法としても従来より慣用されることである。
　したがって、カウンタを用いて調理時間をカウントすることは当業者が適宜なし得た設計的事項といわざるを得ない。
　そしてそのことによる格別の効果もない。
　
（５）相違点Ｅについて
ア．引用発明２は、引用発明１と同じく、「本体２１内部のロースター部２７」を有し、「本体前面３５に形成した加熱調理すロースター部２７の加熱庫３１の開口部３６を開閉するように覆う扉３７とを備え」た「加熱調理器」である。
　そして、引用発明２は、「扉３７」の構成により、扉外壁の温度上昇の低減を図り安全性を向上するものである。
　したがって、引用発明１の「ロースター（グリル）４の調理庫２６の前面開口部を塞ぐロースタードア３２」において、ロースタードア３２の外壁の温度上昇の低減を図り安全性を向上するために、引用発明２の「扉３７」の構成を採用することは、当業者が格別の困難性を要することなくなし得たことといえる。
　
イ．また、本願発明と引用発明２を対比すると、
　引用発明２の「外郭を形成する本体２１と、本体２１の上部に設けられるトップヒーター部２３の上面に形成されるセラミックプレート２２と、トップヒーター部２３の内部に設けられる誘導加熱コイルと、本体２１内部のロースター部２７と、ロースター部２７の加熱庫３１の内部に備えられる食材を載置するための焼網３３と、魚や肉などから出る脂などの肉汁を受けるための摺動自在に載置された受皿３２と、焼網３３とその下方の受皿３２の間に設置される調理物を加熱するための加熱ヒーター３４と、焼網３３の上方に設置される調理物を加熱するための加熱ヒーター３４と、本体前面３５に形成した加熱調理するロースター部２７の加熱庫３１の開口部３６を開閉するように覆う扉３７とを備えた、加熱調理器。」は、
本願発明の「外郭を構成する本体と、被加熱調理容器を載置する天板と、前記天板の下方に位置する加熱手段と、前記本体の内部に配されたグリル装置と、前記グリル装置に収容され調理物を載置する焼網と、前記調理物から滴下する脂や水分を受ける受け皿と、前記焼網と前記受け皿の間に設置され前記調理物を下方より加熱する下方加熱手段と、前記焼網の上方に設置され前記調理物を上方より加熱する上方加熱手段と、
前記グリル装置の開口を覆い開閉自在に配されたグリル扉とを備え、加熱調理器。」に相当する。
　つまり、加熱調理器の基本的構成は共通するといえる。
　一方、本願発明のグリル扉と、これに対応する引用発明２のロースター部２７の加熱庫３１の開口部３６を開閉するように覆う扉３７については、
　後者の「取っ手３８を一体に設けた把手３９」はその機能・構成からみて、前者の「前記グリル扉を開閉する際に持ち手となるグリル把手」に相当し、後者のグリル把手とともに外壁４１を形成する「この把手３９の上方に配置されたガラスなどからなる透明部材４」と前者の「前面を構成する樹脂から成るグリル扉前板」は、前面を構成するグリル扉前板である点で共通する。
　後者の「開口部３６に面する部分に、もう１つの透明部材４２とこの透明部材４２を保持する板金などで形成された扉部材４３とで形成され」「る内壁４４」は、「下端が把手３９の下部に接し、上方で扉部材４５によって外壁４１と保持されるから、前者の「グリル扉前板を保持する金属製の前板保持部材」と、グリル扉前板を保持する前板保持部材である点で共通する。
　後者の内壁４４は、「開口部３６に面する部分に、もう１つの透明部材４２とこの透明部材４２を保持する板金などで形成された扉部材４３とで形成され、下端が把手３９の下部に接し、上方で扉部材４５によって外壁４１と保持される」ること、そして「外壁４１と内壁４４の間には空気層４６が形成されて」いることから、上方や下端で外壁４１と保持されるとともに、外壁４１と空気層４６を形成できるような、覗き窓のような開口を有していない、透明部材４２と扉部材４３による壁となっており、その空気層４６は透明部材４２の部分も含む略全域に渡っているといえるので、前者の前板保持部材とは、「内部の調理状態を確認するための覗き窓などの開口」を有さず、「グリル扉の略全域に渡って前記グリル扉前板と前記前板保持部材の間に所定の間隔の空気」「層を設ける」点で共通する。
　そして、後者の「外壁４１と内壁４４の間には空気層４６が形成されており、」「扉の外壁は加熱庫内の熱に直接さらされることがなく、」「扉外壁の温度上昇の低減が図れ安全性が向上する」との事項からみて、空気層４６は、前者の「グリル扉の略全域に渡って前記グリル扉前板と前記前板保持部材の間に」設けられた「所定の間隔の空気断熱層」に対応する。
　また、後者は、「この空気層４６は把手３９の取っ手３８の下方に設けられた、下方の外側に開いている導入孔４７と扉部材４５に設けられた、前方の外側に開いている連通する排出孔４８に連通していて、内部を空気が自然対流により流通するようになっている」ものの、その穴は外壁４１にあって、前者の前板保持部材に対応する内壁４４には空気を流通するための穴はない。
　そうすると、本願発明のグリル扉と引用発明２の扉３７とは、
「グリル扉は前面を構成するグリル扉前板と、
前記グリル扉前板を保持する前板保持部材と、
前記グリル扉を開閉する際に持ち手となるグリル把手とから構成し、
前板保持部材は、
特に内部の調理状態を確認するための覗き窓などの開口を有さず
前記グリル扉の略全域に渡って前記グリル扉前板と前記前板保持部材の間に所定の間隔の空気断熱層を設ける」点で一致し、
（ア）グリル扉前板の材質について、本願発明が「樹脂から成る」のに対して引用発明２は「把手３９とこの把手３９の上方に配置されたガラスなどからなる透明部材４０とで形成さ」れる点、
（イ）前板保持部材の材質について、本願発明が金属製であるのに対して引用発明２は透明部材４２と板金などで形成された扉部材４３とで形成されている点、及び、
（ウ）前板保持部材の構造について、本願発明が「前板保持部材は前記グリル扉を構成する上で最低限必要なネジ止め用の穴もしくは前記受け皿との嵌着用の開口、または前記グリル扉にパッキンを配した場合の嵌合用の穴を有し、特に内部の調理状態を確認するための覗き窓などの開口および穴を極力少なくして熱の伝わりを低減し、前記グリル扉の略全域に渡って前記グリル扉前板と前記前板保持部材の間に所定の間隔の空気断熱層を設ける」のに対して、引用発明２は内壁４４と外壁４１とで扉３７を構成するものの、ネジ止め用の穴を用いているか否か不明であり、「扉部材４３には前記受皿３２が支持金具４９を介して接続されて」いるものの嵌着用の開口があるか否か不明であり、パッキンを配した場合の嵌合用の穴を有するか否か不明であることから、「特に内部の調理状態を確認するための覗き窓などの開口」は有していないものの、穴を極力少なくすることで、熱の伝わりを低減しているか否か、不明である点で相違している。
　
（ア）グリル扉前板の材質については、機器の筐体を樹脂により形成することは通常行われることであり、さらに特開２００３−３４３８５３号公報（特に段落【００１８】等参照。）には、引用発明１や２と同様のグリルにおいて、二重のグリル扉の外壁を樹脂化粧板で形成することが示されていることから、引用発明２を適用するに際し、引用発明２における外壁４１について、これを樹脂により構成することは当業者が適宜なし得た設計的事項である。
　上記特開２００３−３４３８５３号公報は内壁がガラスであって引用発明２と同様である。
　
（イ）前板保持部材の材質については、引用発明２の内壁４４における透明部材４２以外の部分である扉部材４３は金属板である板金である。
　一方、引用刊行物３の実施の形態１には、他に覗き窓がないロースター（グリル装置）において、その扉の外表面の温度を抑制するべく、覗き窓のない扉としたものが示されており、加えて、外壁と内壁との二重の扉として冷却空間を設けるものでもある。
　そして、引用刊行物４には、同じくグリル扉を金属板による二重構造とするものであって、金属は、従来の透過性のガラスに比べて、熱の反射率が高いので、バーナ２０、２１の燃焼熱の器具外部への放熱ロスを減少させることができることが示唆されているのであるから、よりよく、扉の外表面の温度を抑制すべく、引用刊行物４の示唆に基づいて、より加熱される内壁を、金属板である板金で構成することは、当業者が容易になし得た設計上の事項といえるものであって、引用刊行物４だけでなく引用刊行物３にも覗き窓のない二重の扉が示されていることからも、当業者にとって格別の困難性を要したとはいえない。
　さらにいえば、実公平７−３３０４３号公報には覗き窓を有するものの、合成樹脂の前パネルの後面全体を鋼板の裏板で覆いグリル内の高温の影響を受けにくくする（特に第４欄第１０〜１３行参照）ものが示されていて、樹脂のグリル扉前板と空気層を介した金属板の内壁の組み合わせが格別に困難であるとはいえない。
　
（ウ）前板保持部材の構造について、引用発明２の内壁４４と外壁４１は「下端が把手３９の下部に接し、上方で扉部材４５によって外壁４１と保持される」ものであって、その接合として周知のネジで行うべく穴を設けることは、当業者が適宜なし得た設計上の選択的事項といえる。
　また、引用発明２は「扉部材４３には前記受皿３２が支持金具４９を介して接続され」るものであって、引用刊行物３に「扉１６には前記水受け皿１１が爪１７により係止され」（１．（３）イ．参照。）と示されるように、内壁に受け皿との嵌合用の穴を設けることは周知である。
　さらに、パッキン用の嵌合穴も例えば特開平１１−８３０３７号公報に示されるように周知のことであって、これらのいずれかの穴を設けることは、当業者が適宜なし得た設計上の選択的事項である。
　そして、「穴を極力少なく」することも、引用発明２は「特に内部の調理状態を確認するための覗き窓などの開口」を有していないことで空気層４６を設けたものといえるものであるから、不要な穴を空けないというにすぎず、無駄な加工や工程なくし、構造を簡単にするというにすぎないといえるから、当業者が設計時に当然考慮する事項であるといえる。
　加熱庫３１の開口部３６に面する内壁４４に不要な穴がないのであるから、熱の伝わり低減されるという効果も当業者が容易に想到し得たものである。
　一方、内壁は高温の加熱庫に面するものであるから、内壁に不要な穴や開口を設けないようにして、熱の伝達を低減させることは当業者が通常なす程度のことであるともいえる。
　付言すると、実公昭５２−２１２５７号公報には、覗き窓以外の部分において、穴を有しない空気層を有するグリル扉が示されていることから、引用発明２の空気層について対流させない空気層とすることにも困難性はない。
　
ウ．上記ア．で述べたように、引用発明１のロースタードア３２に引用発明２の扉３７の構成を採用することは当業者が格別の困難性を要することなくなし得たことであり、上記イ．で述べたように、（ア）グリル扉前板、（イ）前板保持部材の材質及び（ウ）前板保持部材の構造について、本願発明のようになすことも、当業者が容易になし得た設計上の事項といえることから、相違点Ｅについても当業者が適宜なし得たことであって、そのことによる格別の効果もない。
　なお、グリル扉に覗き窓がなくなるとしても、引用刊行物４に示されるような上面の覗き窓を排除するものではなく、また、覗き窓の有無に拘わらず、グリル装置としての制御手段を有する引用発明１とグリル扉の構成を有する引用発明２を組み合わせることを阻害する事情もない。
　
（６）まとめ
　以上のようであるから、本願発明は、引用発明１及び２並びに上記周知の事項や慣用手段に基づいて当業者が容易に発明をすることができたものであり、相違点Ａ〜Ｅを合わせ考えても、その効果が格別とはいえない。
　
４．むすび
　以上のとおり、本願発明は、引用発明１及び２並びに上記周知の事項や慣用手段に基づいて、当業者が容易に発明をすることができたものであるから、特許法第２９条第２項の規定により特許を受けることができない。そうすると、本願の他の請求項に係る発明について検討するまでもなく、本願は拒絶されるべきものである。
　よって、結論のとおり審決する。